(57)【要約】【課題】回路規模を大幅に増大させることなく、光ディスク記録装置における記録ストラテジ信号間のスキュー量を調整できるようにする。【解決手段】光ディスク記録装置は、デューティ比５０％のパルス信号を、第１の記録ストラテジ信号として第１のチャネルに出力するとともに、第２の記録ストラテジ信号として第２のチャネルに出力し、少なくとも第１のチャネルを経由した第１の記録ストラテジ信号および第２のチャネルを経由した第２の記録ストラテジ信号を用いて光ディスクへの書き込みを行い、書き込みを行った場合における戻り光を電気信号に変換し、該電気信号の電圧レベルを所定の閾値電圧以上または所定の閾値電圧以下に制限し、第１のチャネルを経由した第１の記録ストラテジ信号と第２のチャネルを経由した第２の記録ストラテジ信号との間のスキューを、電圧レベルが制限された電気信号に基づいて検出する。【選択図】図１
2013089265.tif 000002
【特許請求の範囲】
【請求項１】
デューティ比５０％のパルス信号を、第１の記録ストラテジ信号として第１のチャネルに出力するとともに、第２の記録ストラテジ信号として第２のチャネルに出力するパルス生成手段と、
少なくとも前記第１のチャネルを経由した前記第１の記録ストラテジ信号および前記第２のチャネルを経由した前記第２の記録ストラテジ信号を用いて光ディスクへの書き込みを行う書き込み手段と、
前記書き込み手段が書き込みを行った場合における戻り光を電気信号に変換する光検出手段と、
前記電気信号の電圧レベルを所定の閾値電圧以上または所定の閾値電圧以下に制限する制限手段と、
前記第１のチャネルを経由した前記第１の記録ストラテジ信号と、前記第２のチャネルを経由した前記第２の記録ストラテジ信号との間のスキューを、前記制限された電気信号に基づいて検出するスキュー検出手段と、を備えることを特徴とする光ディスク記録装置。
【請求項２】
前記パルス生成手段は、デューティ比５０％かつ位相差のないパルス信号の一方を、前記第１の記録ストラテジ信号として前記第１のチャネルに出力するとともに、他方を、前記第２の記録ストラテジ信号として前記第２のチャネルに出力することを特徴とする、請求項１に記載の光ディスク記録装置。
【請求項３】
前記パルス生成手段は、前記スキュー検出手段によりスキューが検出された場合には、デューティ比５０％かつ相対的な位相差が調整されたパルス信号の一方を、前記第１の記録ストラテジ信号として前記第１のチャネルに出力するとともに、他方を、前記第２の記録ストラテジ信号として前記第２のチャネルに出力することを特徴とする、請求項１または２に記載の光ディスク記録装置。
【請求項４】
前記スキュー検出手段は、前記制限された電気信号を２値化した信号のデューティ比が５０％であるか否かに応じて前記スキューを検出することを特徴とする、請求項１ないし３のいずれか１項に記載の光ディスク記録装置。
【請求項５】
前記スキュー検出手段は、前記制限された電気信号と前記制限された電気信号の位相を１８０度ずらした信号との自己相関に基づいて前記スキューを検出することを特徴とする、請求項１ないし３のいずれか１項に記載の光ディスク記録装置。
【発明の詳細な説明】
【技術分野】
【０００１】
本発明は光ディスク記録装置に関し、特に、光ディスクへの書き込みを行う際に用いられる記録ストラテジ信号（ライトストラテジパルス）間のスキューを調整するスキュー調整回路、スキュー調整回路を備えた光ディスク記録装置、および、スキュー調整方法に関する。
【背景技術】
【０００２】
光ディスクへのデータ記録は、光ディスクに照射されるレーザの光量を、記録すべきデータ列に応じて時間軸で制御することで行われる。時間軸情報の制御を行う２値の信号は、記録ストラテジ信号（記録ストラテジパルス、ライトストラテジパルス）と呼ばれる。複数のチャネルのそれぞれを経由した複数の記録ストラテジ信号を用いることで、複雑な光量制御を実現することができる。
【０００３】
記録ストラテジ信号のチャネル間のスキュー（すなわち、相対的な遅延）は、記録品質に影響を及ぼす。スキュー量は、ＬＳＩ内部の信号伝送線の長さのみならず、基板配線、レーザドライバ特性等にも依存する。したがって、光ディスク記録装置の開発段階において、基板レイアウトを変更する際には、スキュー量の調整が必要とされる。
【０００４】
また、温度変化、電源電圧変化等に応じて、スキュー量を調整する信号遅延回路に含まれるトランジスタの特性が変化し、補正量が変動することより、スキュー量が動的に変化することもある。このような動的な要因によるスキュー量の変化に対しては、光ディスク記録装置の実使用状況下で、スキュー量を調整する手段が必要となる。
【０００５】
特許文献１には、熱干渉や符号間干渉を精密に補償しつつ光記録を行う方法が記載されている。また、特許文献２には、装置内温度、関連回路部分の電源電圧、集積回路のプロセスに起因するばらつき、フレキシブルプリント基板とその周辺部品との距離の変化に伴う伝送波形の変化等の影響を考慮し、記録ストラテジ信号を良好に保つための技術が記載されている。
【先行技術文献】
【特許文献】
【０００６】
【特許文献１】特開２００９−２１７９３３号公報
【特許文献２】特開２００６−１２０２５２号公報
【発明の概要】
【発明が解決しようとする課題】
【０００７】
以下の分析は、本発明者によってなされたものである。
【０００８】
光ディスクドライブにおけるデータ記録動作においては、複数本の記録ストラテジ信号を、記録データであるＮＲＺＩ（Ｎｏｎ  Ｒｅｔｕｒｎ  ｔｏ  Ｚｅｒｏ  Ｉｎｖｅｒｔｅｄ）信号に同期させつつ、制御ＩＣからレーザドライバを経由して出力し、レーザを発光させるタイミングを決定する。１つのピットを形成する際にも、複数レベルのパワーを細かく遷移させる必要がある。したがって、複数本のパルスのハイ／ロウ（Ｈｉｇｈ／Ｌｏｗ）の組み合わせにより、それぞれのパワーレベルに応じたタイミングを制御する必要がある。また、各光量レベルに関しては、Ｄ／Ａコンバータ（ＤＡＣ）等を用いて指示電流を別途制御する。
【０００９】
記録ストラテジ信号のチャネル間のスキュー（複数のチャネル間の信号伝送遅延差）は、記録品質に大きな影響を与える。スキュー量は、ＬＳＩ内部の信号伝送線の長さのみならず、基板配線、レーザドライバ特性等にも依存するため、スキュー量を適切に補正することが好ましい。
【００１０】
また、スキュー量を調整する信号遅延回路を構成するトランジスタの特性も、温度、電源電圧等に応じて変化することから、スキューの補正量が変動し、スキュー量の増大を招くおそれもある。したがって、光ディスク記録装置の実使用環境下において、スキュー量を動的に調整する必要がある。
【００１１】
特許文献１に記載された方法では、記録ストラテジ信号の生成において、意図するレーザ光量の遷移を実現するように、ハイ（Ｈｉｇｈ）レベルおよびロウ（Ｌｏｗ）レベルへの各エッジの遷移タイミングを、細かく変更できるようにしている。
【００１２】
図９は、特許文献１に記載された光ディスク記録装置のように、記録ストラテジ信号の各チャネル間のスキュー調整用として遅延量補正回路および測定回路を有していない光ディスク記録装置の構成を示すブロック図である。
【００１３】
パルス生成回路１１１は、記録ストラテジ信号Ｗ１〜Ｗ３を、それぞれ、チャネルＣＨ１〜ＣＨ３へ出力する。ＣＰＵ１１２は、電流値制御部１１５に対して電流値を指示するための電流指示データを送出する。電流値制御部１１５は、電流値指示データに従って、電流源ＣＳ１〜ＣＳ３の電流値を設定する。スイッチＳＷ１〜ＳＷ３は、それぞれ、チャネルＣＨ１〜ＣＨ３を経由して受信した記録ストラテジ信号Ｗ１〜Ｗ３のレベルに応じてオン・オフする。レーザドライバ１１６は、電流源ＣＳ１〜ＣＳ３から受けた電流の総量に応じて、光源１１７のレーザ光量を調整する。ビームスプリッタ１１８は、光源１１７から入射したレーザ光を対物レンズ１１９を経由して光ディスク１４０へと導く。光検出器１２１は、対物レンズ１１９およびビームスプリッタ１１８を介して受けた戻り光を電気信号に変換する。
【００１４】
図９に示す光ディスク記録装置においては、基板上配線およびパルス生成回路１１１を設計する際に、スキュー量を限りなく小さくするように考慮することで、記録ストラテジ信号Ｗ１〜Ｗ３の間のスキューの影響を最小化する。しかし、このような対策によると、基板、回路等の設計に制限が課されるのみならず、スキュー量の動的な調整を行うことができない。
【００１５】
図１０は、スキューが生じた場合の問題について説明するための図である。図１０は、図９の地点Ａから地点Ｂにおいてチャネル間の相対的な遅延が増大した場合におけるレーザ光量の時間的な遷移を示す。図１０（ａ）は、パルス生成回路１１１の近傍の地点Ａにおける記録ストラテジ信号Ｗ１〜Ｗ３のパルス波形を示す。一方、図１０（ｂ）は、レーザドライバ１１６の近傍の地点Ｂにおける記録ストラテジ信号Ｗ１〜Ｗ３のパルス波形を示す。また、図１０（ｃ）は、遅延がある場合（実線）と遅延がない場合（破線）におけるレーザ光量の遷移を示す。図１０（ｂ）のように遅延がある場合には、レーザ光量は、図１０（ｃ）に示すように理想的な光量の遷移からずれる。このとき、意図したピット列を光ディスク１４０上に形成することができず、記録品質が劣化する。
【００１６】
そこで、特許文献２に記載されているように、基板上の信号伝送経路等で付加される各チャネル間のスキュー量を補正することが考えられる。図１１は、特許文献２に記載された光ディスク記録装置の構成を概略的に示すブロック図である。図１１に示した光ディスク記録装置では、チャネルＣＨ１〜ＣＨ３間の位相差を測定するための回路をレーザダイオードドライバ（ＬＤＤ：Ｌａｓｅｒ  Ｄｉｏｄｅ  Ｄｒｉｖｅｒ）に設けることで、記録ストラテジ信号の相対的な遅延量を求める。さらに、求めた遅延量を、記録ストラテジ信号のタイミング生成を行う遅延挿入回路１１３へ受け渡すことで、遅延量を補正する。
【００１７】
図１１に示した光ディスク記録装置では、パルス生成回路１１１は、内部記録ストラテジ信号Ｗｉ１〜Ｗｉ３を生成して出力する。ＣＰＵ１３０は、外部ストラテジ信号Ｗｅ１〜Ｗｅ３の間のスキューに関する情報をＩＣ間データとして受け、遅延挿入回路１１３に対して、スキューに応じて遅延量を変更するように指示する。遅延挿入回路１１３は、ＣＰＵ１３０からの指示に従って、内部記録ストラテジ信号Ｗｉ１〜Ｗｉ３のそれぞれに遅延を挿入して、外部記録ストラテジ信号Ｗｅ１〜Ｗｅ３として出力する。位相差検出回路１３１、ローパスフィルタ（ＬＰＦ：Ｌｏｗ  Ｐａｓｓ  Ｆｉｌｔｅｒ）１３２、アナログ・デジタルコンバータ（Ａ／Ｄコンバータ、ＡＤＣ）１３３およびレジスタ回路１３４は、外部記録ストラテジ信号Ｗｅ１〜Ｗｅ３のスキューを検出し、ＩＣ間データとして、ＣＰＵ１３０に出力する。
【００１８】
しかしながら、特許文献２に記載された光ディスク記録装置によると、位相ずれ測定用の専用回路として、位相差検出回路１３１、ＬＰＦ１３２、ＡＤＣ１３３等の複雑かつ規模の大きい回路をＬＤＤに設ける必要がある。また、得られた測定結果において、その測定回路のパス自身での遅延を考慮しなければならない。しかし、かかる遅延を補正する手段がないことから、測定結果の精度が低い。
【００１９】
そこで、回路規模を大幅に増大させることなく、光ディスク記録装置における記録ストラテジ信号間のスキュー量を調整できるようにすることが課題となる。
【課題を解決するための手段】
【００２０】
本発明の一視点に係る光ディスク記録装置は、
デューティ比５０％のパルス信号を、第１の記録ストラテジ信号として第１のチャネルに出力するとともに、第２の記録ストラテジ信号として第２のチャネルに出力するパルス生成手段と、
少なくとも前記第１のチャネルを経由した前記第１の記録ストラテジ信号および前記第２のチャネルを経由した前記第２の記録ストラテジ信号を用いて光ディスクへの書き込みを行う書き込み手段と、
前記書き込み手段が書き込みを行った場合における戻り光を電気信号に変換する光検出手段と、
前記電気信号の電圧レベルを所定の閾値電圧以上または所定の閾値電圧以下に制限する制限手段と、
前記第１のチャネルを経由した前記第１の記録ストラテジ信号と、前記第２のチャネルを経由した前記第２の記録ストラテジ信号との間のスキューを、前記制限された電気信号に基づいて検出するスキュー検出手段と、を備える。
【発明の効果】
【００２１】
本発明に係る光ディスク記録装置によると、回路規模を大幅に増大させることなく、光ディスク記録装置における記録ストラテジ信号間のスキュー量を調整することが可能となる。
【図面の簡単な説明】
【００２２】
【図１】第１の実施形態に係る光ディスク記録装置の構成を一例として示すブロック図である。
【図２】第１の実施形態に係る光ディスク記録装置の通常記録時における動作を一例として示すタイミングチャートである。
【図３】第１の実施形態に係る光ディスク記録装置におけるＣＰＵによる制御動作を一例として示すフローチャートである。
【図４】チャネルＣＨ１、ＣＨ２間においてスキューずれがある場合における、第１の実施形態に係る光ディスク記録装置のスキュー検出時の動作を一例として示すタイミングチャートである。
【図５】チャネルＣＨ１、ＣＨ２間においてスキューずれがない場合における、第１の実施形態に係る光ディスク記録装置のスキュー検出時の動作を一例として示すタイミングチャートである。
【図６】第２の実施形態に係る光ディスク記録装置の構成を一例として示すブロック図である。
【図７】チャネルＣＨ１、ＣＨ２間においてスキューずれがある場合における、第２の実施形態に係る光ディスク記録装置のスキュー検出時の動作を一例として示すタイミングチャートである。
【図８】チャネルＣＨ１、ＣＨ２間においてスキューずれがない場合における、第２の実施形態に係る光ディスク記録装置のスキュー検出時の動作を一例として示すタイミングチャートである。
【図９】特許文献１に記載された光記録装置の構成を概略的に示すブロック図である。
【図１０】特許文献１に記載された光記録装置におけるスキューずれを一例として示すタイミングチャートである。
【図１１】特許文献２に記載された光ディスク記録装置の構成を概略的に示すブロック図である。
【発明を実施するための形態】
【００２３】
はじめに、本発明の概要について説明する。なお、この概要に付記する図面参照符号は、専ら理解を助けるための例示であり、本発明を図示の態様に限定することを意図するものではない。
【００２４】
図１を参照すると、本発明に係る光ディスク記録装置は、デューティ比５０％のパルス信号を、第１の記録ストラテジ信号として第１のチャネル（例えばＣＨ１）に出力するとともに、第２の記録ストラテジ信号として第２のチャネル（例えばＣＨ２）に出力するパルス生成手段（１４）と、少なくとも第１のチャネル（ＣＨ１）を経由した第１の記録ストラテジ信号および第２のチャネル（ＣＨ２）を経由した第２の記録ストラテジ信号を用いて光ディスク（４０）への書き込みを行う書き込み手段（２０）と、書き込み手段（２０）が書き込みを行った場合における戻り光を電気信号に変換する光検出手段（光検出器２１）と、電気信号の電圧レベルを所定の閾値電圧以上または所定の閾値電圧以下に制限する制限手段（制限回路２２）と、第１のチャネル（ＣＨ１）を経由した第１の記録ストラテジ信号と、第２のチャネル（ＣＨ２）を経由した第２の記録ストラテジ信号との間のスキューを、制限された電気信号に基づいて検出するスキュー検出手段（２７）と、を備える。
【００２５】
ここで、パルス生成手段（１４）は、デューティ比５０％かつ位相差のないパルス信号の一方を、第１の記録ストラテジ信号として第１のチャネル（ＣＨ１）に出力するとともに、他方を、第２の記録ストラテジ信号として第２のチャネル（ＣＨ２）に出力するようにしてもよい。
【００２６】
かかる構成によると、光ディスク記録装置に対して簡易な回路を追加することで、記録ストラテジ信号間のスキューを検出することが可能となる。したがって、本発明によると、回路規模を大幅に増大させることなく、光ディスク記録装置における記録ストラテジ信号間のスキュー量を調整できるようにすることができる。
【００２７】
また、パルス生成手段（１４）は、スキュー検出手段（２７）によりスキューが検出された場合には、デューティ比５０％かつ相対的な位相差が調整されたパルス信号の一方を、第１の記録ストラテジ信号として第１のチャネル（ＣＨ１）に出力するとともに、他方を、第２の記録ストラテジ信号として第２のチャネル（ＣＨ２）に出力するようにしてもよい。
【００２８】
かかる構成によると、第１のチャネル（ＣＨ１）を経由した第１の記録ストラテジ信号と、第２のチャネル（ＣＨ２）を経由した第２の記録ストラテジ信号との間におけるスキューを解消することが可能となる。
【００２９】
さらに、スキュー検出手段（２７）は、制限された電気信号を２値化した信号のデューティ比が５０％であるか否かに応じてスキューを検出するようにしてもよい。
【００３０】
デューティ比５０％のパルス信号を、第１の記録ストラテジ信号として第１のチャネル（ＣＨ１）に出力するとともに、第２の記録ストラテジ信号として第２のチャネル（ＣＨ２）に出力した場合において、第１のチャネル（ＣＨ１）を経由した第１の記録ストラテジ信号と、第２のチャネル（ＣＨ２）を経由した第２の記録ストラテジ信号との間におけるスキューがゼロであるときに限り、かかる２値化信号のデューティ比は５０％となる（図４、図５）。したがって、スキュー検出手段（２７）は、２値化信号のデューティ比が５０％である場合にはスキューが存在せず、それ以外の場合にはスキューが存在するものと判定することができる。
【００３１】
図６を参照すると、スキュー検出手段（３２）は、制限された電気信号と制限された電気信号の位相を１８０度ずらした信号との自己相関に基づいてスキューを検出するようにしてもよい。
【００３２】
デューティ比５０％のパルス信号を、第１の記録ストラテジ信号として第１のチャネル（ＣＨ１）に出力するとともに、第２の記録ストラテジ信号として第２のチャネル（ＣＨ２）に出力した場合において、第１のチャネル（ＣＨ１）を経由した第１の記録ストラテジ信号と、第２のチャネル（ＣＨ２）を経由した第２の記録ストラテジ信号との間におけるスキューが存在するか否かに応じて、自己相関の値が変動する（図７、図８）。したがって、スキュー検出手段（３２）は、自己相関の値に基づいて、スキューの有無を判定することができる。
【００３３】
以下、実施形態に係る光ディスク記録装置について、図面を参照して詳細に説明する。実施形態に係る光ディスク記録装置は、デューティ比５０％かつ位相差がゼロである信号を任意の２つのチャネルの記録ストラテジ信号として出力し、遅延を挿入した上で記録動作を行う。このときの戻り光のＲＦ信号にレベルリミット処理を施した信号について、２値化後信号のデューティ比を検出することにより、これら２つのチャネル間のスキューの有無を判定する。また、以下の実施形態では、デューティ比の検出方法として、２通り方法を提案する。
【００３４】
第１の実施形態では、偶数次高調波成分を抜き出し、その成分の信号振幅を測定する。デューティ比が５０％の矩形波のスペクトラムは、基本波の他に奇数次高調波成分のみを含む。しかし、デューティ比が５０％からずれると、矩形波のスペクトラムにおいて、偶数次高調波成分が増加する。したがって、バンドパスフィルタ（Ｂａｎｄ−Ｐａｓｓ  Ｆｉｌｔｅｒ、ＢＰＦ）により、例えば２次高調波だけを取り出して振幅を検出することにより、デューティ比の５０％からのずれの有無を判別することができる。
【００３５】
一方、第２の実施形態では、元の信号と元の信号の位相をπ（ｒａｄ）だけ遅らせた信号との乗算値の平均、すなわち、自己相関値を求めることでデューティ比を検出する。
【００３６】
なお、以下に詳述する光ディスク記録装置において、チャネル間スキューは、光源までの経路に依存するものの、「レーザ照射〜光検出器〜ＲＦ２値化エッジ検出」までの経路に依存しない。したがって、光ディスク制御における基本的な回路を使用することにより、容易にスキュー量を測定することが可能となる。すなわち、実施形態に係る光ディスク装置によると、簡易な追加回路で動的にスキュー補正を行うことができる。
【００３７】
（実施形態１）
第１の実施形態に係る光ディスク記録装置について、図面を参照して説明する。図１は、本実施形態の光ディスク記録装置の構成を一例として示すブロック図である。図１を参照すると、光ディスク記録装置は、パルス生成手段１４、書き込み手段２０、光検出器２１、制限回路２２、ゲイン／オフセット調整回路２３、２値化処理回路２４、スキュー検出手段２７を備えている。
【００３８】
パルス生成手段１４は、パルス生成回路１１、ＣＰＵ１２、および、遅延挿入回路１３を備えている。また、書き込み手段２０は、電流値制御部１５、電流源ＣＳ１〜ＣＳ３、スイッチＳＷ１〜ＳＷ３、レーザドライバ１６、光源１７、ビームスプリッタ１８、および、対物レンズ１９を備えている。なお、書き込み手段２０の構成は、図９に示した光ディスク記録装置において対応する手段の構成と同様であることから、説明を省略する。
【００３９】
パルス生成回路１１は、通常モードにおいて、エンコード処理した記録データに従って内部記録ストラテジ信号Ｗｉ１〜Ｗｉ３を生成する。また、パルス生成回路１１は、スキュー検出モードにおいて、内部記録ストラテジ信号Ｗｉ１〜Ｗｉ３として、デューティ比５０％の固定周波数の信号、または、ロウ固定の信号を出力する。
【００４０】
本実施形態では、一例として、記録ストラテジ信号のチャネル数を３つとしている。ただし、本発明において、チャネル数は３つに限定されない。
【００４１】
光検出器２１は、戻り光を電気信号に変換してＲＦ信号として出力する。光ディスク記録装置は、一般に、光検出器２１と同様の機能を有する光検出器を有しており、再生動作（光ディスク４０に記録されているデータを読み出す動作）において、この機能を使用する。
【００４２】
ＲＦ信号は、通常、ゲイン・オフセット調整回路２３、Ａ／Ｄ変換器（非図示）を通過し、デジタルデータに変換された後、コンパレータ、ＰＲＭＬ（Ｐａｒｔｉａｌ−Ｒｅｓｐｏｎｓｅ  Ｍａｘｉｍｕｍ  Ｌｉｋｅｌｉｈｏｏｄ）回路等の２値化処理回路２４を介して、２値化データに加工される。本実施形態では、この機能をデータ記録動作中にも動作させる。ただし、本実施形態の動作を行う場合における「２値化処理」として、ＰＲＭＬ技術を使用するよりも、中点での単純な２値化コンパレータ動作を行うことが好ましい。
【００４３】
本実施形態では、このような光ディスク記録装置による通常の再生動作で必要とされる回路に対して、さらに、制限回路（リミッタ回路）２２およびスキュー検出手段２７を追加することで、スキューずれを検出する。
【００４４】
制限回路２２は、所定の閾値電圧以下（または閾値電圧以上）の信号を入力すると、出力信号を閾値電圧に固定する。本実施形態では、制限回路２２に入力されるＲＦ信号の極性の定義として、ピット形成を行って光量が増大するに従って、制限回路２２への入力信号の電圧レベルは低下するものとする。この定義によると、制限回路２２は、所定の閾値電圧以下の信号が入力されると、閾値電圧を出力する。なお、閾値電圧は、容易に変更可能とすることが好ましい。
【００４５】
スキュー検出手段２７は、２値化処理回路２４で生成された信号のデューティ比を計測する。スキュー検出手段２７は、バンドパスフィルタ（Ｂａｎｄ−Ｐａｓｓ  Ｆｉｌｔｅｒ、ＢＰＦ）２５および振幅測定回路２６を備えている。スキュー検出手段２７は、ＢＰＦ２５および振幅測定回路２６を用いて、記録ストラテジ信号間の位相ずれの有無を判定する。
【００４６】
ＢＰＦ２５は、記録ストラテジ信号の出力信号周波数の２倍周波数（第２次高調波周波数）を通過帯域の中心とし、基本波周波数および第３次高調波周波数の帯域ではゲイン圧縮する。ここで、ＢＰＦ２５の通過帯域の中心周波数は、偶数次高調波であればよい。したがって、中心周波数は２倍周波数に限定されず、４倍周波数、６倍周波数等としてもよい。
【００４７】
振幅測定回路２６は、入力信号のピーク値およびボトム値を検出し、入力信号の振幅と所定の閾値とを比較する。振幅測定回路２６は、入力信号の振幅が所定の閾値以下である場合には、位相ずれがないものと判定する。一方、入力信号の振幅が所定の閾値よりも大きい場合には、振幅測定回路２６は、位相ずれがあるものと判定する。
【００４８】
ＣＰＵ１２は、挿入遅延量を変更しつつ、スキュー検出手段２７によりスキューが検出されなくなるまで、遅延量の挿入とスキューの検出とを繰り返す。これにより、チャネル間における記録ストラテジ信号のスキューを補正することが可能となる。
【００４９】
遅延挿入回路１３は、パルス生成回路１１と同一のクロック信号を用いるカウンタとして実現してもよいし、直列に接続されたバッファ回路として実現してもよい。
【００５０】
次に、本実施形態に係る光ディスク記録装置の動作について説明する。
【００５１】
図２は、光ディスク記録装置が通常の記録動作を行う場合における、記録データパターンであるＮＲＺＩ信号、外部記録ストラテジ信号Ｗｅ１〜Ｗｅ３（チャネルＣＨ１〜ＣＨ３）の典型的な記録波形、および、戻り光（ないしＲＦ信号）を一例として示すタイミングチャートである。通常の記録動作では、各外部記録ストラテジ信号のチャネルＣＨ１〜ＣＨ３から、ＮＲＺＩ信号に同期して、異なるタイミングの信号が出力される。これらの各記録ストラテジ信号チャネルにより、予めＣＰＵ１２から指示されているそれぞれの電流源ＣＳ１〜ＣＳ３のオン／オフ（ＯＮ／ＯＦＦ）を制御し、光源１７に流す全電流量を制御する。これにより、例えば、ピット形成部の先端部および後端部で光量を増大させる等の光量制御が可能となる。
【００５２】
なお、本実施形態では、電流源を３つの電流源ＣＳ１〜ＣＳ３とした。しかし、記録ストラテジ信号のチャネル数と同様に、電流源の数も３つに限定されない。
【００５３】
次に、本実施形態に係る光ディスク記録装置によるスキュー検出動作について説明する。
【００５４】
スキュー検出動作時には、パルス生成回路１１は、記録ストラテジ信号チャネルのうちの、スキューを補正する対象の２チャネルに対して、デューティ比５０％の信号を出力する。一方、パルス生成回路１１は、これらの２チャネル以外のチャネルの出力をロウ（Ｌｏｗ）固定とする。
【００５５】
ＣＰＵ１２は、挿入遅延回路１３において挿入する遅延量を変更し、記録動作を行い、スキュー検出手段２７で位相ずれの有無判定を行うまでの一連の動作を制御する。ＣＰＵ１２は、位相ずれが検出されなくなるまで、一連の動作を繰り返す。
【００５６】
ＣＰＵ１２から電流源ＣＳ１〜ＣＳ３のそれぞれに対して指示する電流値を、いずれも、所定の同一の電流値としてもよい。ただし、記録ストラテジ信号をロウ固定としたチャネルに対応する電流源の電流値は、ドントケアとなるため、任意の値としてもよい。したがって、記録ストラテジ信号をデューティ比５０％としたチャネルに対応する電流源の電流値のみを、所定の同一の電流値としてもよい。
【００５７】
また、この電流値の固定値は、１つのチャネルのみの出力を行った場合に、戻り光ＲＦのリミッタ入力信号として、閾値電圧を下回るか、または、記録動作でないときの電圧レベルと閾値電圧の１／２を下回る電圧レベルになるような光量に相当する電流値とする必要がある。なぜなら、位相がずれた状態で記録が行われた場合に、いずれか一方の記録ストラテジ信号チャネルのみがハイ（Ｈｉｇｈ）となっている区間も、戻り光のＲＦ信号を２値化したときに、記録が行われたピット部（本実施形態では、ＲＦ信号の２値化後のレベルがロウレベル）として検出する必要があるからである。
【００５８】
ある基準チャネルを選択し（例えばチャネルＣＨ１）、スキュー補正動作を基準チャネル以外の各チャネルに対して行うことにより、すべてのチャネルに対する相対的なスキュー量が一意に決定される。得られた各チャネルに必要な遅延量を挿入遅延回路１３にフィードバックすることで、スキュー補正が完了する。
【００５９】
図３は、ＣＰＵ１２による制御動作を一例として示すフローチャートである。ＣＰＵ１２による制御動作を、図３を参照して説明する。
【００６０】
まず、ＣＰＵ１２は、電流源ＣＳ１〜ＣＳ３のそれぞれに対して、所定の同一の電流値を設定する（ステップＳ１）。次に、ＣＰＵ１２は、チャネルＣＨ１〜ＣＨ３のいずれについても、記録ストラテジパルスの遅延補正量をゼロに設定する（ステップＳ２）。
【００６１】
次に、ＣＰＵ１２は、チャネルＣＨ１、ＣＨ２に対する内部記録ストラテジパルスＷｉ１、Ｗｉ２として、デューティ比５０％のパルス信号を出力し、チャネルＣＨ３に対する内部記録ストラテジパルスＷｉ３として、ロウ固定の信号を出力するように、パルス生成回路１１に指示する。さらに、ＣＰＵ１２は、これらのストラテジ信号に基づいて書き込み動作を行うように書き込み手段２０に指示する（ステップＳ３）。
【００６２】
次に、ＣＰＵ１２は、書き込み手段２０が書き込みを行った場合における戻り光を電気信号に変換し、電気信号の電圧レベルを所定の閾値電圧以上に制限し、制限された電気信号を２値化するとともに、２値化した信号のデューティ比を測定するように、それぞれ、光検出器２１、制限回路２２、２値化処理回路２４、および、スキュー検出手段２７に指示する（ステップＳ４）。
【００６３】
ＣＰＵ１２は、デューティ比の測定結果に従って、チャネルＣＨ１を経由した外部記録ストラテジ信号Ｗｅ１と、チャネルＣＨ２を経由した外部記録ストラテジ信号Ｗｅ２との間に位相のずれがあるかどうかを判定する（ステップＳ５）。
【００６４】
位相のずれが存在する場合には（ステップＳ５のＹｅｓ）、ＣＰＵ１２は、チャネルＣＨ２に対する内部記録ストラテジ信号Ｗｉ２に挿入する遅延量を変更するように、遅延挿入回路１３に指示し（ステップＳ６）、ステップＳ３に戻る。一方、位相のずれが存在しない場合には（ステップＳ５のＮｏ）、ＣＰＵ１２はチャネルＣＨ１、ＣＨ２間のスキュー調整を終了し、ステップＳ７へ進む。
【００６５】
次に、ＣＰＵ１２は、チャネルＣＨ１、ＣＨ３に対する内部記録ストラテジパルスＷｉ１、Ｗｉ３として、デューティ比５０％のパルス信号を出力し、チャネルＣＨ２に対する内部記録ストラテジパルスＷｉ２として、ロウ固定の信号を出力するように、パルス生成回路１１に指示する。さらに、ＣＰＵ１２は、これらのストラテジ信号に基づいて書き込み動作を行うように書き込み手段２０に指示する（ステップＳ７）。
【００６６】
次に、ＣＰＵ１２は、書き込み手段２０が書き込みを行った場合における戻り光を電気信号に変換し、電気信号の電圧レベルを所定の閾値電圧以上に制限し、制限された電気信号を２値化するとともに、２値化した信号のデューティ比を測定するように、それぞれ、光検出器２１、制限回路２２、２値化処理回路２４、および、スキュー検出手段２７に指示する（ステップＳ８）。
【００６７】
ＣＰＵ１２は、デューティ比の測定結果に従って、チャネルＣＨ１を経由した外部記録ストラテジ信号Ｗｅ１と、チャネルＣＨ３を経由した外部記録ストラテジ信号Ｗｅ３との間に位相のずれがあるかどうかを判定する（ステップＳ９）。
【００６８】
位相のずれが存在する場合には（ステップＳ９のＹｅｓ）、ＣＰＵ１２は、チャネルＣＨ３に対する内部記録ストラテジ信号Ｗｉ３に挿入する遅延量を変更するように、遅延挿入回路１３に指示する（ステップＳ１０）。一方、位相のずれが存在しない場合には（ステップＳ９のＮｏ）、ＣＰＵ１２はチャネルＣＨ１、ＣＨ３間のスキュー調整を終了する。
【００６９】
以上のフローにより、チャネルＣＨ１、ＣＨ２間のスキューおよびチャネルＣＨ１、ＣＨ３間のスキューの双方が解消される。したがって、すべてのチャネルＣＨ１〜ＣＨ３間のスキューが解消される。
【００７０】
図４および図５は、チャネルＣＨ１、ＣＨ２間のスキュー補正を実施する場合におけるタイミングチャートを一例として示す。図４は、チャネルＣＨ１を経由した外部記録ストラテジ信号Ｗｅ１と、チャネルＣＨ２を経由した外部記録ストラテジ信号Ｗｅ２との間にスキューが存在する場合のタイミングチャートを示す。一方、図５は、チャネルＣＨ１を経由した外部記録ストラテジ信号Ｗｅ１と、チャネルＣＨ２を経由した外部記録ストラテジ信号Ｗｅ２との間にスキューが存在しない場合のタイミングチャートを示す。
【００７１】
図４を参照すると、スキューが存在する場合には、戻り光を電気信号（ＲＦ信号）に変換し、電気信号の電圧レベルを所定の閾値電圧（リミットレベル）以上に制限し、制限された電気信号を２値化した信号のデューティ比は５０％以外の値をとる。
【００７２】
一方、図５を参照すると、スキューが存在しない場合には、戻り光を電気信号に変換し、電気信号の電圧レベルを所定の閾値電圧以上に制限し、制限された電気信号を２値化した信号のデューティ比は５０％となる。
【００７３】
したがって、スキュー検出手段２７は、制限された電気信号を２値化した信号のデューティ比を計測することにより、スキューの有無を判定することが可能となる。
【００７４】
本実施形態の光ディスク記録装置の構成および動作によると、光ディスク記録装置の実使用条件下において、記録ストラテジ信号のチャネル間スキューを容易かつ動的に補正することが可能となる。また、本実施形態によると、光ディスク記録装置の再生動作のために設けられた光検出器２１、２値化処理回路２４等をスキュー調整動作においても利用することで、スキュー調整のために新たに追加すべき回路を、簡易で小規模な回路とすることができる。したがって、本実施形態の光ディスク記録装置によると、回路規模を大幅に増大させることなく、記録ストラテジ信号間のスキュー量を調整することが可能となる。
【００７５】
（実施形態２）
第２の実施形態に係る光ディスク記録装置について、図面を参照して説明する。図６は、本実施形態の光ディスク記録装置の構成を一例として示すブロック図である。図６を参照すると、光ディスク記録装置は、パルス生成手段１４、書き込み手段２０、光検出器２１、制限回路２２、ゲイン／オフセット調整回路２３、Ａ／Ｄコンバータ（ＡＤＣ）２８、および、スキュー検出手段３２を備えている。
【００７６】
パルス生成手段１４は、パルス生成回路１１、ＣＰＵ１２、および、遅延挿入回路１３を備えている。また、書き込み手段２０は、電流値制御部１５、電流源ＣＳ１〜ＣＳ３、スイッチＳＷ１〜ＳＷ３、レーザドライバ１６、光源１７、ビームスプリッタ１８、および、対物レンズ１９を備えている。なお、書き込み手段２０の構成は、図９に示した光ディスク記録装置において対応する手段の構成と同様であることから、説明を省略する。また、パルス生成手段１４の構成は、図１に示した第１の実施形態に係る光ディスク記録装置において対応する手段の構成と同様であることから、説明を省略する。
【００７７】
本実施形態の光ディスク記録装置は、スキュー検出手段３２の構成、および、２値化処理回路２４（図１）をＡＤＣ２８とした点において、第１の実施形態に係る光ディスク記録装置（図１）と相違する。
【００７８】
図６を参照すると、スキュー検出手段３２は、ＦＩＦＯ回路２９と、乗算器３０と、加算器およびラッチ回路を有する平均化回路３１とを備えている。スキュー検出手段３２は、ＡＤＣ２８から出力された信号と、この信号の位相をＦＩＦＯ回路２９でπだけ遅延させた信号との自己相関に基づいて、スキューを検出する。
【００７９】
ＡＤＣは、通常の再生動作時、信号処理をデジタル処理で実現する場合に一般的に使用される。したがって、光ディスク記録装置がすでにＡＤＣを備えている場合には、スキュー調整のために別途ＡＤＣ２８を設ける必要はない。ＡＤＣ２８は、記録動作中のＲＦ信号をデジタルデータに変換する。
【００８０】
ＦＩＦＯ回路２９は、ＡＤＣ２８から出力されたデジタルデータを入力とし、記録ストラテジ信号に出力したデューティ比５０％の信号の周期の１／２だけ遅延させた信号を生成する。言い換えると、ＦＩＦＯ回路２９は、ＡＤＣ２８から出力されたデータに対して位相π（ｒａｄ）だけ遅延させたデータを出力する。乗算器３０は、ＦＩＦＯ回路２９からの出力信号とＡＤＣ２８からの出力信号とを乗算して出力する。平均化回路３１は、乗算器３０から出力された信号を平均化して出力する。平均化回路３１から出力された信号を「自己相関値」と呼ぶ。
【００８１】
自己相関値の振る舞いは、２チャネル間の記録ストラテジ信号のスキューの有無に応じて大きく変動する。スキューが発生していない場合には、ＲＦ信号のデューティ比が５０％に保たれているため、自己相関値は絶対値の大きい負値となる。一例として、ＲＦ信号のハイ（Ｈｉｇｈ）レベルを「＋１」、ロウ（Ｌｏｗ）レベルを「−１」に規格化した場合には、理想的な自己相関値は「−１」となる。
【００８２】
一方、スキューが発生している場合には、ＲＦ信号のデューティ比が５０％からずれているために、自己相関値はスキューが発生していない場合よりも大きい値をとる。
【００８３】
ＣＰＵ１２は、自己相関値が小さい値となるように挿入遅延量を変更するよう、遅延挿入回路１３に指示する。これにより、記録ストラテジ信号の２チャネル間におけるスキューを調整することができる。
【００８４】
第１の実施形態の光ディスク記録装置と比較すると、本実施形態の光ディスク記録装置では、ＲＦ信号の２値化閾値を厳密に決める必要がなくなる上、厳密に帯域を管理されたＢＰＦ２５（図１）も必要とされない。
【００８５】
なお、本発明によると、さらに下記の形態が可能となる。
[形態１]
上記一視点に係る光ディスク記録装置のとおりである。
[形態２]
前記パルス生成手段は、デューティ比５０％かつ位相差のないパルス信号の一方を、前記第１の記録ストラテジ信号として前記第１のチャネルに出力するとともに、他方を、前記第２の記録ストラテジ信号として前記第２のチャネルに出力するようにしてもよい。
[形態３]
前記パルス生成手段は、前記スキュー検出手段によりスキューが検出された場合には、デューティ比５０％かつ相対的な位相差が調整されたパルス信号の一方を、前記第１の記録ストラテジ信号として前記第１のチャネルに出力するとともに、他方を、前記第２の記録ストラテジ信号として前記第２のチャネルに出力するようにしてもよい。
[形態４]
前記スキュー検出手段は、前記制限された電気信号を２値化した信号のデューティ比が５０％であるか否かに応じて前記スキューを検出するようにしてもよい。
[形態５]
前記スキュー検出手段は、前記制限された電気信号を２値化した信号に含まれる偶数次高調波の振幅を参照し、該信号のデューティ比が５０％であるか否かを判定するようにしてもよい。
[形態６]
前記スキュー検出手段は、前記制限された電気信号と前記制限された電気信号の位相を１８０度ずらした信号との自己相関に基づいて前記スキューを検出するようにしてもよい。
[形態７]
デューティ比５０％のパルス信号を、第１の記録ストラテジ信号として第１のチャネルに出力するとともに、第２の記録ストラテジ信号として第２のチャネルに出力するパルス生成手段と、
少なくとも前記第１のチャネルを経由した前記第１の記録ストラテジ信号および前記第２のチャネルを経由した前記第２の記録ストラテジ信号を用いて光ディスクへの書き込みを行った場合における戻り光を電気信号に変換する光検出手段と、
前記電気信号の電圧レベルを所定の閾値電圧以上または所定の閾値電圧以下に制限する制限手段と、
前記第１のチャネルを経由した前記第１の記録ストラテジ信号と、前記第２のチャネルを経由した前記第２の記録ストラテジ信号との間のスキューを、前記制限された電気信号に基づいて検出するスキュー検出手段と、を備えることを特徴とするスキュー調整回路が提供される。
[形態８]
上記スキュー調整回路において、前記パルス生成手段は、デューティ比５０％かつ位相差のないパルス信号の一方を、前記第１の記録ストラテジ信号として前記第１のチャネルに出力するとともに、他方を、前記第２の記録ストラテジ信号として前記第２のチャネルに出力するようにしてもよい。
[形態９]
上記スキュー調整回路において、前記パルス生成手段は、前記スキュー検出手段によりスキューが検出された場合には、デューティ比５０％かつ相対的な位相差が調整されたパルス信号の一方を、前記第１の記録ストラテジ信号として前記第１のチャネルに出力するとともに、他方を、前記第２の記録ストラテジ信号として前記第２のチャネルに出力するようにしてもよい。
[形態１０]
上記スキュー調整回路において、前記スキュー検出手段は、前記制限された電気信号を２値化した信号のデューティ比が５０％であるか否かに応じて前記スキューを検出するようにしてもよい。
[形態１１]
上記スキュー調整回路において、前記スキュー検出手段は、前記制限された電気信号と前記制限された電気信号の位相を１８０度ずらした信号との自己相関に基づいて前記スキューを検出するようにしてもよい。
[形態１２]
デューティ比５０％のパルス信号を、第１の記録ストラテジ信号として第１のチャネルに出力するとともに、第２の記録ストラテジ信号として第２のチャネルに出力する工程と、
少なくとも前記第１のチャネルを経由した前記第１の記録ストラテジ信号および前記第２のチャネルを経由した前記第２の記録ストラテジ信号を用いて光ディスクへの書き込みを行った場合における戻り光を電気信号に変換する工程と、
前記電気信号の電圧レベルを所定の閾値電圧以上または所定の閾値電圧以下に制限する工程と、
前記第１のチャネルを経由した前記第１の記録ストラテジ信号と、前記第２のチャネルを経由した前記第２の記録ストラテジ信号との間のスキューを、前記制限された電気信号に基づいて検出する工程と、を含むことを特徴とするスキュー調整方法が提供される。
【００８６】
なお、先行技術文献である上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施例の各要素、各図面の各要素等を含む）の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００８７】
１１、１１１    パルス生成回路
１２、１１２    ＣＰＵ
１３、１１３    遅延挿入回路
１４    パルス生成手段
１５、１１５    電流値制御部
１６、１１６    レーザドライバ
１７、１１７    光源
１８、１１８    ビームスプリッタ（Ｂｅａｍ  Ｓｐｌｉｔｔｅｒ）
１９、１１９    対物レンズ
２０    書き込み手段
２１、１２１    光検出器
２２    制限回路
２３    ゲイン／オフセット調整回路
２４    ２値化処理回路
２５    バンドパスフィルタ（ＢＰＦ）
２６    振幅測定回路
２７、３２    スキュー検出手段
２８、１３３    Ａ／Ｄコンバータ（ＡＤＣ）
２９    ＦＩＦＯ回路
３０    乗算器
３１    平均化回路
４０、１４０    光ディスク
１３０    ＣＰＵ
１３１    位相差検出回路
１３２    ローパスフィルタ（ＬＰＦ）
１３４    レジスタ回路
ＣＨ１〜ＣＨ３    チャネル
ＣＳ１〜ＣＳ３    電流源
ＳＷ１〜ＳＷ３    スイッチ
Ｗ１〜Ｗ３    記録ストラテジ信号
Ｗｅ１〜Ｗｅ３    外部記録ストラテジ信号
Ｗｉ１〜Ｗｉ３    内部記録ストラテジ信号
【図１】
2013089265.tif 000003
【図２】
2013089265.tif 000004
【図３】
2013089265.tif 000005
【図４】
2013089265.tif 000006
【図５】
2013089265.tif 000007
【図６】
2013089265.tif 000008
【図７】
2013089265.tif 000009
【図８】
2013089265.tif 000010
【図９】
2013089265.tif 000011
【図１０】
2013089265.tif 000012
【図１１】
2013089265.tif 000013